(57)【要約】  本発明は、少なくとも１つの第１の顎部（４）と少なくとも１つの第２の顎部（５）とを含む、例えば、ねじ頭部またはナットなどの操作される物体にトルクを適用するための道具（１）に関し、第１の顎部（４）と第２の顎部（５）は、少なくとも１つのレバー（アーム）（２）に接続される。この道具に固有なことは、顎部（４、５）の少なくとも１つが第１の接触表面部（８）と第２の接触表面部（９）を有する少なくとも１つの凹部（７）を備え、接触表面部（８）と（９）の少なくとも１つがアーチ型であるということである。【選択図】図１
2012507407.tif 000002
【特許請求の範囲】
【請求項１】
少なくとも１つの第１の顎部（４）と少なくとも１つの第２の顎部（５）とを含む、例えば、ねじ頭部またはナットなどの操作される物体にトルクを適用するための道具（１）であって、
前記第１の顎部（４）と第２の顎部（５）は、少なくとも１つのレバー（アーム）（２）に接続され、
前記顎部（４、５）の相対的な位置が操縦手段（６）で調節され、
前記顎部（４、５）の少なくとも１つが、第１の接触表面部（８）と第２の接触表面部（９）を有する少なくとも１つの凹部（７）を備え、前記接触表面部（８）と（９）の少なくとも１つがアーチ型であることを特徴とする道具。
【請求項２】
前記顎部（４、５）の少なくとも１つが第１の接触表面部（８）と第２の接触表面部（９）を有する少なくとも１つの凹部（７）を備え、前記接触表面部（８）と（９）の両方がアーチ型であることを特徴とする請求項１に記載の道具（１）。
【請求項３】
前記顎部（４、５）の両方が、第１の接触表面部（８）と第２の接触表面部（９）を有する少なくとも１つの凹部（７）を備えることを特徴とする請求項１に記載の道具（１）。
【請求項４】
第１のアーチ型の接触表面部（８）と第２のアーチ型の接触表面部（９）が、基本的にはポイント（１０）に集中するか、または、ポイント（１０）に収束し、アーチ型の収束の方向は顎部（４）および（５）に関して、基本的には長手方向であることを特徴とする請求項２または３に記載の道具（１）。
【請求項５】
前記顎部（４、５）は、既存の道具の顎部に付属品（１４）と（１５）を形成することを特徴とする請求項１乃至４の１以上に記載の道具（１）。
【請求項６】
操縦手段（６）がねじ機能からなり、
回転運動が少なくとも１つのギアを介して移されることで、前記顎部（４、５）が相互に関連して動くようになることを特徴とする請求項１乃至５の１以上に記載の道具（１）。
【請求項７】
操縦手段（６）はラチェット機能によって枢動可能に配されたハンドルからなることを特徴とする請求項１乃至６の１以上に記載の道具（１）。
【請求項８】
前記第１の接触表面部（８）と第２の接触表面部（９）が無限の半径（直線）を有し、これらの表面間の角度は、基本的には１２０度であることを特徴とする請求項１乃至７の１以上に記載の道具（１）。
【請求項９】
前記接触表面部（８）と（９）の少なくとも１つに、１以上の方向に横断溝が全体的または部分的に取り付けられることを特徴とする請求項１乃至８の１以上に記載の道具（１）。
【請求項１０】
前記接触表面部（８）と（９）の少なくとも１つは、全体的にまたは部分的にギザギザのあることを特徴とする請求項１乃至９の１以上に記載の道具（１）。
【発明の詳細な説明】
【技術分野】
【０００１】
本発明は道具に関する。具体的には、本発明は請求項に従って、道具または道具の付属品に関する。
【背景技術】
【０００２】
様々な状況において、細部または類似物が動作可能なようにするために、物体をしっかりと保持する必要がある。実行される動作が、保持される物体にトルクを移すような工程を含む場合、このことには、通常、問題がある。物体をしっかりと保持するという目的のために設計された道具は、トルクの伝達には適していないことが往々にしてある。自在スパナ（調節可能なスパナ）またはオープンエンドスパナあるいはボックスエンドスパナなどのトルクを利用する道具は、あらかじめ決められた形状（四角形、六角形など）や大きさに適合するように通常は設計されるという欠点を有している。このような道具は、それらのあらかじめ決められた形状や大きさとは異なる形状や大きさには、ほとんど使用することができない。
【０００３】
ねじ、ボルト、ナット、または、類似物を互いに締めたりまたは緩めたり、ならびに、他の物体におよび他の物体からこれらを締めたりまたは緩めたりする必要がある。トルク（締め付け）表面の一部が擦り減るかまたは傷つく、例えば、ナットの１つの角または複数の角が擦り減る（丸くなる）問題がしばしば発生し、これによって締めつけたりおよび／または緩めたりするのが困難になる。既知の道具で固く保持するのを助けることが可能で、所望の接触表面部に締めたり緩めたりするなどのトルクの必要とされる用途も可能にする物体が必要とされている。
【０００４】
操作される大きさによって道具を調節するさらなる必要性がある。ねじ、ボルト、ナットなどを締めたり緩めたりすることに関連して、道具を扱うものの大きさを調節する必要がある。形状と大きさに関して、その所望の領域の外側で道具を使用することは、通常は重大な問題となる。例えば、このような道具のための保管場所がある店の外側で、作業を行うために必要とされる全ての異なる種類の道具を持ち歩くのが困難なことも往々にしてある。問題になっている作業を行うためにどの道具が必要とされるのかを予測することが困難なことも往々にしてある。このことと同様に上記の他の問題を改善可能な現存の道具への補助器具または付属品が必要とされている。
【０００５】
さらに、トルクの適用が物体になんの負の損傷（スクラッチ、擦り減った角または端部など）も与えないように、物体の外見または精密さに細心の注意が払われなければならない特別な場合で必要とされることもある。これは、例えば、美術品、宝石、または、非常に特殊な目的のために特異的に設計された他の装飾品あるいは洗練した科学的装置の設置または取り付け時に起こる。したがって、トルクの利用のために用いられる道具が滑らず、または、さもなければ望まれないやり方で握りを失わないことを保証し得る補助器具が必要とされている。
【０００６】
既知の種類の自在スパナに係るさらなる問題は、トルクが適用される物体が自在スパナで操作される物体に関連して道具から滑り落ちかねないということである。このことは、例えば、ねじ、ナット、または同種のものの頭部が擦り減る（丸くなる）、つまり、損傷を受けることにつながることもある。さらに、自在スパナで作業を行う人が、例えば、操作される物体から意図せず離れていく自在スパナに連動して、自在スパナを操作する手を容易に傷つけてしまうことがある。
【０００７】
既知の自在スパナに係るさらに別の問題は、自在スパナが内部に一定の量の遊びを有しており、それによってねじの頭部などに損傷を与えかねないということである。
【０００８】
自在スパナの道具は、もともとは発明者のＪ．Ｐ．Ｊｏｈａｎｓｓｏｎによって「ねじ回し（ｓｃｒｅｗ  ｗｒｅｎｃｈｅｓ）」と名付けられていたが、すでに知られているものである。例えば、もともとの自在スパナはスウェーデン特許第ＳＥ４０６６号に記載されている。自在スパナは商業的に大きな成功を収めており、莫大な数が売れている。
【０００９】
さらに、オープンエンドスパナあるいはボックスエンドスパナなどの道具が存在することも長く知られてきた。これらは特定の大きさに限られている。さらに、いわゆる送水ポンププライヤー（ｗａｔｅｒ−ｐｕｍｐ  ｐｌｉｅｒｓ）も同様に開発されてきた。
【００１０】
これらの以前から既知の道具は、その有用性を限定する多くの欠点を有している。例えば、このようなプライヤーで全ての種類の物体を操作することはできない。
【００１１】
出願人の特許出願、特許文献１には、アーチ型をした接触表面部を含む道具の付属品が記載されている。特許文献１に従った設計は、本発明とは全く異なる。例えば、特許文献１の設計は、物体にトルクを適用するために使用されることを意図していないが、１以上の物体を保持するとともに一時的に固定するために設計されている。
【００１２】
特許文献２と特許文献３は、ねじ頭部またはナットなどの作用物体にトルクを適用するために意図された道具について記載している。これらの設計は、少なくとも１つのアーチ型の接触表面部を含むという点で、本発明と類似している。他の点では、これらの設計は、本発明の設計によって著しく異なる。例えば、道具で動かされるねじまたはナットは、特許文献４に記載の設計とは異なり、道具の握りから容易に滑り落ちることがある。本発明による設計は、下側と上側からのベクトルの間の完全なバランスを可能にする。ベクトルのこの力学的平衡は、握りから逃れる物体の傾向を回避する。特許文献２と特許文献３は、物体とその物体の中心（外部トルクに面する重心）で動作する異なるベクトル間の不平等な距離のトルクを有しており、過度な負担をかけることで握りから逃れる物体の傾向を増加させている。さらに、特許文献２と特許文献３は、調節可能な顎部を備えた設計を含んでいない。さらに、特許文献２と特許文献３は、本発明に従った交換可能な顎部を備えた設計を有していない。
【００１３】
特許文献５は、道具設計の改良型について記載している。その設計は、取り外し可能な顎部を含む改良型において、本発明の設計と類似点を有している。その設計は、本発明の設計とは別の点で大幅に異なる。例えば、特許文献５による道具は、本発明とは異なり、顎部の付属品とともに用いることはできず、および、顎部の付属品を含まずに用いることもできない。その設計は、動かされる物体（ねじ頭部など）が道具から滑り落ちる危険性があるという問題も有している。さらに、その設計は多くの異なる形状を保持するためには意図されていない。特許文献５で見られる発明とは異なり、本発明は、ほとんどの任意の対称物体、例えば、六角ナット、円形パイプ、四角形、または、さらに、三角形などの非対称形状などを、物体に損傷を与える（角を摩耗させる）ことなく保持することができる一方で、かなりのトルクが道具によって実行される。
【００１４】
特許文献６は、１つの実施形態が自在スパナで構成される道具の改良型である。その自在スパナの実施形態は、調節可能な顎部を含む。他の点において、該特許による設計は、本発明によって大幅に異なる。例えば、その設計は、アーチ型の接触表面部を含まない。たとえ、上記の設計の各々がそれ自体でそれら自身の目的を達成することができても、これらのいずれも本発明に従った設計を有してはいない。
【先行技術文献】
【特許文献】
【００１５】
【特許文献１】ＳＥ第０７００６６４号
【特許文献２】米国第２００４１６３５０４Ａ１号
【特許文献３】豪州第６７２０３５Ｂ２号
【特許文献４】特許出願第０８０２３５０−９号
【特許文献５】米国第４７１８３１５号
【特許文献６】米国第５１３１３１２号
【発明の概要】
【課題を解決するための手段】
【００１６】
本発明の主たる目的は、物体を保持するための、および、ねじ頭部、ナット、または、同種のものにトルクを適用するための大幅に改善された道具を達成することである。本発明のさらなる目的は、同一の道具が、設計された時の形状と大きさよりも多くの形状と大きさに使用することを可能にする道具を提供することである。さらに、他の目的は、確実かつ非常に穏やかな手法で、負の損傷に対して非常に敏感な物体に、および、物体間に、トルクを適用することができる補助器具を作ることである。
【図面の簡単な説明】
【００１７】
本発明は、本発明の最新の好適な実施形態を例示目的で示す同封の概略図に関連して以下の文脈で詳細に記載されている。
【００１８】
【図１】本発明を斜視的に概略的に示す。
【図２Ａ】接触表面部の代替的な実施形態を示す。
【図２Ｂ】接触表面部の代替的な実施形態を示す。
【図２Ｃ】接触表面部の代替的な実施形態を示す。
【図３】本発明の第２の代替的な実施形態を示す。
【図４】本発明の第３の代替的な実施形態を示す。
【図５】本発明の第４の代替的な実施形態を示す。
【発明を実施するための形態】
【００１９】
図１に関連して、本発明に従った道具（１）が示される。その設計は、少なくとも１つのレバー（アーム）（２）と、その握りが少なくとも第１の顎部（４）および第２の顎部（５）を含む少なくとも１つのグリップ（３）とを含む。レバー（２）はハンドル（シャフト）または同種のもので好ましくは構成される。顎部（４）と（５）の設計は、本発明の範囲内で著しく変化することもある。さらに、顎部（４）と（５）の互いに対する相対的な位置（距離）は、操縦（調節）手段（ｏｒｇａｎ）（６）で調節可能なように好ましくは配される。この調節は、固定される１つの顎部によって、および、自在スパナ、送水ポンププライヤー、または、類似物などの場合のように移動可能なように配された他のものによって達成可能である。あるいは、該道具がそのように設計されることによって、両方の顎部が移動可能なように配される。ハンドルの（レバーの）設計は、本発明の範囲内で著しく変化することがある。例えば、ハンドルは、例えば、図１で示されるような既存の種類の自在スパナまたは同種のものと同じ設計を有することができる。あるいは、ハンドルは、図３で示されるような送水ポンププライヤーの場合などのように第１と第２の操縦手段からなることもある。
【００２０】
本発明に固有なことは、各々の夫々の顎部が少なくとも１つの凹部を有するということである。凹部（７）は、互いにポイント（１０）で接触する第１の接触表面部（８）と第２の接触表面部（９）とを含む。接触表面部（８）と（９）は、アーチ型または直線であってもよい。第１の実施形態において、図１で示されるように、第１の接触表面部（８）と第２の接触表面部（９）はアーチ型である。アーチ型は楕円形状、放射状形状、または、目的に適した他の形状である。第１の接触表面部（８）と第２の接触表面部（９）はポイント（１０）を形成する。第１の接触表面部（８）と第２の接触表面部（９）は、基本的にはポイント（１０）で収束するか、または、ポイント（１０）内に収束し、および、アーチ型の収束の方向は顎部（４）および（５）に関して、基本的には長手方向である。
【００２１】
図２Ａと２Ｂは、接触表面部上の直線の接触表面部（無限の半径）を備える改良型を示す。第１の接触表面部と第２の接触表面部のなす角度（１１）は、８５度から１６５度の間である。しかしながら、第１の接触表面部と第２の接触表面部のなす角度（１１）は、好ましくは約１２０度である。図２Ａは操作される物体（１２）さえも示す。本発明の改良型において、接触表面部（８）または（９）はアーチ型であるか、または、接触表面部（８）または（９）は図２Ｃで示されるように直線であってもよい。
【００２２】
図１は、顎部（４）および（５）にアーチ型の接触表面部（８）および（９）が取り付けられた、自在スパナの道具をさらに具体的に示す。
【００２３】
図３は本発明による道具の改良型を示し、基本的には、送水ポンププライヤータイプの道具で構成されている。図３は、ハンドルの一部を示していないが、それは既知の技術に従って形成される。
【００２４】
図４は本発明の改良型を示し、各々の夫々の顎部（４）と（５）に、アーチ型の接触表面部（８）および（９）を備えた第１の凹部（７）と第２の凹部（１３）が取り付けられる。その設計は、自在スパナ、送水ポンププライヤー、または、アーチ型の接触表面部（８）および（９）を備える凹部（７）を有する目的に適した他の道具などの類似する設計の道具からなることもある。
【００２５】
図５は、取り外し可能な顎部（１４）と（１５）を有する道具をさらに具体的に示す。取り外し可能な顎部（１４）と（１５）は、例えば、図２で示されるような既知の顎部に適用されてもよい。取り外し可能な顎部（１４）と（１５）は各々、少なくとも１つのアーチ型の接触表面部（８）または（９）を備える少なくとも１つの凹部（７）を含む。この図において、接触表面部（８）と接触表面部（９）の両方がアーチ型である改良型を示す。他の点において、顎部（１４）と（１５）の形状と大きさは、本発明の範囲内で著しく変化することがある。本発明に従った道具は、それによって、本発明に従った利点を有する道具などとして、および、自在スパナ、送水ポンププライヤー、または、関連する道具などの早くから知られた道具などとしてすら用いられてもよい。
【００２６】
代替的な実施形態において、道具の調節装置（手段）は、Ｂｌａｃｋ＆Ｄｅｃｋｅｒによって市販されているものなどの全自動式のものであってもよい。あるいは、調節装置は別の以前から知られている調節装置、または、目的にかなった将来開発される調節装置からなることもある。
【００２７】
代替的な実施形態において、接触表面部に、１以上の方向に横断溝（図示されず）が取り付けられることもある。例えば、接触表面部は全体的にまたは部分的にギザギザのあることが想定される。
【００２８】
本発明のみが既存の道具への付属品として定義されることが想定される。本発明は、記号（１４）（１５）で示される顎部でのみ構成される。
【００２９】
多くの利点が本発明で達成される。もっとも明らかなのは、同一の道具が設計当初のよりも多くの形状と大きさのために利用可能であるということである。本発明の別の利点は、例えば、ナット、ボルト、および、ねじ上の擦り減ったまたは損傷を受けた接触表面部は、それらが締められたり緩められたりするのを妨げないということである。本発明に係るさらなる利点は、それが確実かつ非常に穏やかな手法で負の損傷に非常に敏感な物体に、または、該物体の間に、トルクを適用するということである。
【００３０】
特定の好適な実施形態が詳細に記載されてきたとはいえ、本発明の範囲内での変更および修正は当業者には明らかであり、そのようなものはすべて添付の請求の範囲内に含まれるものとみなされる。例えば、本発明が、いわゆるラチェットレンチまたは類似の設計におけるようなラチェット機能で設計されるということが想定される。少なくとも３つの顎部を備えた道具が開発可能であるということも想定される。
【図１】
2012507407.tif 000003
【図２Ａ】
2012507407.tif 000004
【図２Ｂ】
2012507407.tif 000005
【図２Ｃ】
2012507407.tif 000006
【図３】
2012507407.tif 000007
【図４】
2012507407.tif 000008
【図５】
2012507407.tif 000009
【手続補正書】
【提出日】平成23年7月29日(2011.7.29)
【手続補正１】
【補正対象書類名】特許請求の範囲
【補正対象項目名】全文
【補正方法】変更
【補正の内容】
【特許請求の範囲】
【請求項１】
少なくとも１つの第１の顎部（４）と少なくとも１つの第２の顎部（５）とを有するグリップ（３）を含む、例えば、ねじ頭部またはナットなどの操作される物体にトルクを適用するための道具であって、
前記第１の顎部（４）と第２の顎部（５）は、少なくとも１つのレバー（アーム）（２）に接続され、
前記顎部（４、５）の少なくとも１つが、第１の接触表面部（８）と第２の接触表面部（９）を有する少なくとも１つの凹部（７）を備え、
前記接触表面部（８、９）の少なくとも１つは、前記物体がグリップ（３）から抜け出る傾向を防ぐのに貢献するベクトルの力学的平衡を提供するためにアーチ型で配されることを特徴とする道具。
【請求項２】
前記顎部（４、５）の少なくとも１つが第１の接触表面部（８）と第２の接触表面部（９）を有する少なくとも１つの凹部（７）を備え、前記接触表面部（８）と（９）の両方がアーチ型であることを特徴とする請求項１に記載の道具。
【請求項３】
第１のアーチ型の接触表面部（８）と第２のアーチ型の接触表面部（９）が、基本的にはポイント（１０）に集中するか、または、ポイント（１０）に収束し、アーチ型の収束の方向は顎部（４）および（５）に関して、基本的には長手方向であることを特徴とする請求項１または２に記載の道具。
【請求項４】
前記顎部（４、５）は、既存の道具の顎部に付属品（１４）と（１５）を形成することを特徴とする請求項１乃至３の１以上に記載の道具。
【請求項５】
前記顎部（４、５）の相対位置は操縦手段（６）で調節されることを特徴とする請求項１乃至４の１以上に記載の道具。
【請求項６】
操縦手段（６）がねじ機能を含み、
回転運動が少なくとも１つのギアを介して移されることで、前記顎部（４）および（５）が相互に関連して動くようになることを特徴とする請求項５に記載の道具。
【請求項７】
操縦手段（６）はラチェット機能によって枢動可能に配されたハンドルからなることを特徴とする請求項１乃至６の１以上に記載の道具。
【請求項８】
前記接触表面部（８）と（９）の少なくとも１つに、１以上の方向に横断溝が全体的または部分的に取り付けられることを特徴とする請求項１乃至７の１以上に記載の道具。
【請求項９】
前記接触表面部（８）と（９）の少なくとも１つは、全体的にまたは部分的にギザギザのあることを特徴とする請求項１乃至８の１以上に記載の道具。  
【請求項１０】
例えば、ねじ頭部またはナットなどの操作される物体にトルクを適用するための方法であって、
前記方法は、
少なくとも１つの第１の顎部（４）と少なくとも１つの第２の顎部（５）とを有する、グリップを含む道具を提供する工程を含み、
前記第１の顎部（４）と第２の顎部（５）は、少なくとも１つのレバー（アーム）（２）に接続され、
各々の顎部（４、５）が少なくとも１つの凹部（７）を備え、このとき、前記顎部（４、５）の少なくとも１つは、第１の接触表面部（８）と第２の接触表面部（９）を有する少なくとも１つの凹部（７）を含み、
前記接触表面部（８、９）の少なくとも１つはアーチ型であり、前記物体がグリップ（３）から抜け出る傾向を防ぐのに貢献する力学的平衡を提供することを特徴とする方法。
【請求項１１】
前記顎部（４、５）の少なくとも１つが第１の接触表面部（８）と第２の接触表面部（９）を有する少なくとも１つの凹部（７）を備え、前記接触表面部（８）と（９）の両方がアーチ型であることを特徴とする請求項１０に記載の方法。
【請求項１２】
第１のアーチ型の接触表面部（８）と第２のアーチ型の接触表面部（９）が、基本的にはポイント（１０）に集中するか、または、ポイント（１０）に収束し、アーチ型の収束の方向は顎部（４）および（５）に関して、基本的には長手方向であることを特徴とする請求項１０または１１に記載の方法。
【請求項１３】
前記顎部（４、５）は、既存の道具の顎部に付属品（１４）と（１５）を形成することを特徴とする請求項１０乃至１２の１以上に記載の方法。
【手続補正３】
【補正対象書類名】明細書
【補正対象項目名】００１２
【補正方法】変更
【補正の内容】
【００１２】
特許文献２，３、７、および、８は、ねじ頭部またはナットなどの作用物体にトルクを適用するために意図された道具について記載している。これらの設計は、少なくとも１つのアーチ型の接触表面部を含むという点で、本発明と類似している。他の点では、これらの設計は、本発明の設計によって著しく異なる。例えば、道具で動かされるねじまたはナットは、特許文献４に記載の設計とは異なり、道具の握りから容易に滑り落ちることがある。本発明による設計は、下側と上側からのベクトルの間の完全なバランスを可能にする。ベクトルのこの力学的平衡は、握りから逃れる物体の傾向を回避する。特許文献２と特許文献３は、物体とその物体の中心（外部トルクに面する重心）で動作する異なるベクトル間の不平等な距離のトルクを有しており、過度な負担をかけることで握りから逃れる物体の傾向を増加させている。さらに、特許文献２と特許文献３は、調節可能な顎部を備えた設計を含んでいない。さらに、特許文献２と特許文献３は、本発明の実施形態に従った交換可能な顎部を備えた設計を有していない。
【手続補正４】
【補正対象書類名】明細書
【補正対象項目名】００１５
【補正方法】変更
【補正の内容】
【００１５】
【特許文献１】ＳＥ第０７００６６４号
【特許文献２】米国第２００４１６３５０４Ａ１号
【特許文献３】豪州第６７２０３５Ｂ２号
【特許文献４】特許出願第０８０２３５０−９号
【特許文献５】米国第４７１８３１５号
【特許文献６】米国第５１３１３１２号
【特許文献７】米国第５２３９８９９号
【特許文献８】米国第６３７０９８９号
【手続補正５】
【補正対象書類名】明細書
【補正対象項目名】００１６
【補正方法】変更
【補正の内容】
【００１６】
本発明の主たる目的は、グリップから物体が抜け出る傾向を防いで、物体を保持するための、および、ねじ頭部、ナット、または、同種のものにトルクを適用するための大幅に改善された道具を達成することである。本発明のさらなる目的は、同一の道具が、設計された時の形状と大きさ、すなわち、ほとんどすべての対称的な物体、例えば、六角ナット、円形パイプ、四角形、または、さらに、三角形などの非対称形状、よりも多くの形状と大きさに使用することを可能にする道具を提供することである。さらに、他の目的は、確実かつ非常に穏やかな手法で、負の損傷に対して非常に敏感な物体に、および、物体間に、すなわち、物体を損傷すること（角を摩耗させること）なく、トルクを適用することができる補助器具を作ることである。本発明のさらなる態様は、以下の詳細な記載と添付の特許請求の範囲から明らかとなる。
【国際調査報告】
2012507407.tif 000010
2012507407.tif 000011
2012507407.tif 000012
2012507407.tif 000013